(57)【特許請求の範囲】
【請求項１】
足場用の幅木であって、
前記幅木は、樹脂製であり、
前記幅木は、中空構造の板材であり、
前記幅木の長手方向の一端から他端にかけて、中空空間を形成するためのシートの両面にそれぞれ平坦シートを接合してなる三層構造が連続しており、
前記幅木は、板幅方向が鉛直方向を向いた鉛直帯板部と、該鉛直帯板部の下端縁部に一体に設けられ、板幅方向が水平方向を向いた水平帯板部と、を有した断面Ｌ字形状部材であり、
前記鉛直帯板部の上端面は、全面に亘って中空構造が露出しないように封止部材で封止されており、
前記鉛直帯板部の下端面のうちの少なくとも一部は、中空構造が露出していることを特徴とする足場用の幅木。
【請求項２】
請求項１に記載の足場用の幅木であって、
前記幅木は、板幅方向が鉛直方向を向いた鉛直帯板部と、該鉛直帯板部の下端縁部に一体に設けられ、板幅方向が水平方向を向いた水平帯板部とを有した断面Ｌ字形状部材であり、
前記幅木の材料となる樹脂製の平板部材を屈曲することによって、前記幅木は、前記断面Ｌ字形状部材に形成されていることを特徴とする足場用の幅木。
【請求項３】
請求項１又は２に記載の足場用の幅木であって、
前記幅木は、ポリオレフィン樹脂製であることを特徴とする足場用の幅木。
【請求項４】
請求項１乃至３の何れかに記載の足場用の幅木であって、
前記中空空間を形成するためのシートは、複数の円筒状の突起部が離散形成された突起シートであり、
前記突起シートにおける各前記突起部の頂部に、一方の前記平坦シートが接合されており、
前記突起シートにおいて各前記突起部の周りに位置する平坦な部分たる底面部に、他方の前記平坦シートが接合されており、
一方の前記平坦シートと前記底面部との間に前記中空空間が区画形成されているとともに、他方の前記平坦シートと前記突起部との間にも前記中空空間が区画形成されていることを特徴とする足場用の幅木。
【発明の詳細な説明】
【技術分野】
【０００１】
本発明は、建設現場等の工事現場で使用される足場の幅木に関する。
【背景技術】
【０００２】
従来、建設現場等において高所作業が必要な場合には、建物等の施工対象物の周囲に足場が組まれる。そして、かかる足場として、例えば枠組足場が使用されている（特許文献１）。
【先行技術文献】
【特許文献】
【０００３】
【特許文献１】特開平５−２５９２８号公報
【発明の概要】
【発明が解決しようとする課題】
【０００４】
また、最近では、墜落・転落防止措置及び物体落下防止措置として、足場に幅木を設けることが、労働安全衛生規則等で義務付けられている。そのため、足場の踏板に近接させて幅木が配置されている。
【０００５】
かかる幅木には、現状、鋼等の金属製や木製のものが使用されている。しかし、金属製や木製の幅木は重く、足場に配置する際に人力で持ち上げ難いなど作業性の悪いものであった。
【０００６】
本発明は、上記のような従来の問題に鑑みなされたものであって、その目的は、足場用の幅木の軽量化を図ることにある。
【課題を解決するための手段】
【０００７】
かかる目的を達成するために請求項１に示す発明は、
足場用の幅木であって、
前記幅木は、樹脂製であり、
前記幅木は、中空構造の板材であり、
前記幅木の長手方向の一端から他端にかけて、中空空間を形成するためのシートの両面にそれぞれ平坦シートを接合してなる三層構造が連続しており、
前記幅木は、板幅方向が鉛直方向を向いた鉛直帯板部と、該鉛直帯板部の下端縁部に一体に設けられ、板幅方向が水平方向を向いた水平帯板部と、を有した断面Ｌ字形状部材であり、
前記鉛直帯板部の上端面は、全面に亘って中空構造が露出しないように封止部材で封止されており、
前記鉛直帯板部の下端面のうちの少なくとも一部は、中空構造が露出していることを特徴とする。
【０００８】
上記請求項１に示す発明によれば、人目に触れやすい鉛直帯板部の上端面については、全面に亘って封止部材で封止されていて、これにより、中空構造が露出しない状態となっている。よって、幅木の外観向上を図れる。他方、人目に触れにくい鉛直帯板部の下端面のうちの少なくとも一部に、中空構造が露出しているので、幅木の見た目の悪化を抑えつつ、幅木内の侵入水を円滑に外部に排水することができる。
また、幅木は、水平帯板部を有しているので、幅木の本体をなす鉛直帯板部と足場の踏板との間に生じうる隙間を有効に埋めることができて、足場での作業安全性を高めることができる。
【００１７】
請求項２に示す発明は、請求項１に記載の足場用の幅木であって、
前記幅木は、板幅方向が鉛直方向を向いた鉛直帯板部と、該鉛直帯板部の下端縁部に一体に設けられ、板幅方向が水平方向を向いた水平帯板部とを有した断面Ｌ字形状部材であり、
前記幅木の材料となる樹脂製の平板部材を屈曲することによって、前記幅木は、前記断面Ｌ字形状部材に形成されていることを特徴とする。
【００１８】
上記請求項２に示す発明によれば、断面Ｌ字形状の幅木を容易に製造することができる。
【００１９】
請求項３に示す発明は、請求項１又は２に記載の足場用の幅木であって、
前記幅木は、ポリオレフィン樹脂製であることを特徴とする。
【００２０】
上記請求項３に示す発明によれば、幅木はポリオレフィン樹脂製なので、幅木の軽量化及び強度向上を図れる。
また、請求項４に示す発明は、請求項１乃至３の何れかに記載の足場用の幅木であって、
前記中空空間を形成するためのシートは、複数の円筒状の突起部が離散形成された突起シートであり、
前記突起シートにおける各前記突起部の頂部に、一方の前記平坦シートが接合されており、
前記突起シートにおいて各前記突起部の周りに位置する平坦な部分たる底面部に、他方の前記平坦シートが接合されており、
一方の前記平坦シートと前記底面部との間に前記中空空間が区画形成されているとともに、他方の前記平坦シートと前記突起部との間にも前記中空空間が区画形成されていることを特徴とする。
【発明の効果】
【００２１】
本発明によれば、足場用の幅木の軽量化を図ることができる。
【図面の簡単な説明】
【００２２】
【図１】枠組足場１０の概略斜視図である。
【図２】クランプ５１の概略斜視図である。
【図３】図３Ａは、幅木４０に係る中空構造の板材４１の一例の概略斜視図であり、図３Ｂは、同板材４１を分解して示す分解斜視図である。
【図４】幅木４０の概略斜視図である。
【図５】図５Ａは、幅木４０の桁行方向の端部４０ｅを下方から見た概略斜視図であり、図５Ｂは、枠組足場１０における幅木４０の端部４０ｅを上方から見た概略平面図である。
【発明を実施するための形態】
【００２３】
＝＝＝本実施形態＝＝＝
本実施形態に係る足場用の幅木４０は、例えば枠組足場１０に適用される。図１は、枠組足場１０の概略斜視図である。  
枠組足場１０は、施工対象物としての建物（不図示）の側方に隣接して配置される。すなわち、枠組足場１０は、水平方向のうちで建物の外周輪郭（側壁面）に沿う方向を「桁行方向」として設けられる。なお、以下では、水平方向のうちで上記桁行方向と直交する方向のことを「梁間方向」とも言う。
【００２４】
図１に示すように、枠組足場１０は、複数の建枠１１，１１…と、桁行方向に隣り合う建枠１１，１１同士の間に掛け渡される踏板２１と、桁行方向に隣り合う建枠１１，１１同士の間に掛け渡されるブレース３１と、踏板２１の上方に近接して設けられる幅木４０と、を有する。なお、同図１中では、図の錯綜を防ぐ目的で、一部の踏板２１に対してのみ幅木４０を設けたように示しているが、通常は全ての踏板２１に対して設けられる。
【００２５】
建枠１１は、梁間方向に間隔をあけて並ぶ一対の支柱１２，１２同士が上端部にて横架材１４により一体に連結された門型（鳥居型）形状の部材である。そして、各建枠１１は、桁行方向に隣り合う建枠１１との間に間隔をあけながら互いに対向して配置されている。また、桁行方向に隣り合う建枠１１，１１同士には、踏板２１が掛け渡されている。詳しくは、踏板２１は、桁行方向の両端部にフック状のつかみ金具２３を具備し、各つかみ金具２３を、対応する建枠１１の横架材１４に上方から引っ掛けることにより、踏板２１は建枠１１に固定・支持されている。なお、各ブレース３１は、桁行方向に隣り合う建枠１１の支柱１２，１２同士に掛け渡されている。
【００２６】
そして、かかる建枠１１は、施工対象物たる建物に対応した高さまで鉛直方向に複数段（図１の例では２段）積み上げられ、これにより、図１の如き枠組足場１０が形成されている。なお、鉛直方向に隣り合う建枠１１，１１同士の連結は、例えば互いに上下に突き合わされた支柱１２，１２の端部同士に跨って連結ピン１６が挿入されることでなされるが、別の種類の連結部材を用いても良い。また、最下段の建枠１１の支柱１２の下端部には、支柱１２の高さ位置を調整可能に同支柱１２を支持するジャッキベース１８が固定されているが、高さ位置を調整不能な固定ベースを設けても良い。
【００２７】
幅木４０は、各踏板２１における梁間方向の両側の各端縁に対応させつつ、それぞれ踏板２１の上方に近接して設けられている。そして、図１の例では、断面Ｌ字形状の幅木４０が使用されている。すなわち、幅木４０は、板幅方向が鉛直方向を向いた鉛直帯板部４２と、鉛直帯板部４２の下端縁部に一体に設けられ、板幅方向が水平方向を向いた水平帯板部４４と、を有している。そして、板長方向を桁行方向に沿わせつつ、鉛直帯板部４２が水平帯板部４４よりも梁間方向の端側に位置するような姿勢で、幅木４０は建枠１１の支柱１２に固定されている。これにより、建枠１１の支柱１２に梁間方向の中央側から鉛直帯板部４２が当接するように同鉛直帯板部４２は配され、また、水平帯板部４４は、鉛直帯板部４２と踏板２１との間に生じ得る隙間を埋めるように配されている。
【００２８】
なお、支柱１２への幅木４０の固定は、例えば適宜な固定具５１によりなされ、この例では、クランプ５１が使用されている。図２はクランプ５１の概略斜視図である。クランプ５１は、支柱１２を把持すべく枢軸Ｃ５１を介して開閉可能に互いに枢着された一対の把持部５２，５３と、一対の把持部５２，５３の一方の把持部５２に一体に設けられたピン部５５とを有する。一方、幅木４０の鉛直帯板部４２には、板厚方向に貫通するピン孔４０ｈが穿孔されている。よって、支柱１２の外周面を一対の把持部５２，５３で囲みつつ同把持部５２，５３をボルト５２ｂ・ナット５２ｎの締め込みで閉じた状態に締結固定するとともに、ピン部５５を幅木４０のピン孔４０ｈに差し込むことにより、幅木４０は建枠１１の支柱１２に固定・支持される。ちなみに、ピン部５５には、同ピン部５５の外周面から出没可能に返し部材５５ｋが設けられており、この返し部材５５ｋは、ピン部５５に内蔵のばね部材（不図示）によって突出方向に付勢されている。よって、返し部材５５ｋをピン部５５内に押し込めば、当該ピン部５５をピン孔４０ｈに円滑に抜き差しできる一方、ピン孔４０ｈにピン部５５を差し込んだ状態で返し部材５５ｋの押し込みを解除して突出状態にすれば、ピン部５５をピン孔４０ｈから離脱不能に係止固定することができる。
【００２９】
ここで、本実施形態では、かかる幅木４０として樹脂製の幅木を用いている。そのため、鋼等の金属製や木製の幅木と比べて軽量であり、これにより、足場１０の組み立て時や解体時に人力でも容易に持ち上げ可能であるなど、取り扱い易いものとなっている。樹脂としては、ポリエチレンやポリプロピレン等のポリオレフィン系重合体や、ＰＥＴ（ポリエチレンテレフタレート）などを例示できるが、この例では、ポリオレフィン系重合体が使用されている。なお、上記以外の合成樹脂を用いても良い。
【００３０】
また、更なる軽量化を図るべく、同幅木４０には、中空構造の板材４１が使用されている。図３Ａは、この中空構造の板材４１の一例を示す概略斜視図であり、図３Ｂは、同板材４１を分解して示す分解斜視図である。図３Ａに示すように、この例では、中空構造の板材４１の一例として、複数の円筒状の突起部４１３ｐ，４１３ｐ…が離散形成された突起シート４１３の両面に、それぞれ平坦シート４１５，４１７を接合してなる三層構造の板材４１が使用されている。  
詳しくは、突起シート４１３における各突起部４１３ｐの頂部４１３ｐｔに一方の平坦シート４１５が接合されているとともに、同突起シート４１３において突起部４１３ｐの周りに位置する平坦な部分４１３ｂたる底面部４１３ｂに他方の平坦シート４１７が接合されている。そして、これにより、一方の平坦シート４１５と底面部４１３ｂとの間には中空空間Ｓ４１５が区画形成されているとともに、他方の平坦シート４１７と円筒状の突起部４１３ｐとの間にも中空空間Ｓ４１７が区画形成されている。そして、このような突起シート４１３を用いた中空構造の板材４１によれば、高い耐荷重性を奏し得て、破損や変形し難いものとなる。
【００３１】
ちなみに、かかる中空構造の板材４１は、平板の形態で提供される。このため、図１の如き断面Ｌ字形状の幅木４０は、上記の中空構造の平板４１をＬ字状に屈曲することによって形成される。なお、屈曲する前に予め屈曲の折れ線に対応する部分を局所的に加熱して軟化しておけば、比較的容易に板材４１を屈曲することができる。また、中空構造の板材４１が有する突起シート４１３と平坦シート４１５，４１７との接合は、溶着或いは接着によって行われる。
【００３２】
ところで、かかる三層構造の板材４１にあっては、幅木４０の各端面４２ｔ，４２ｓ１，４４ｓ１，４４ｓ２（小口面又は小端面）から中空構造が露出し得て、その状態だと見栄えが悪くなる。特に、幅木４０の鉛直帯板部４２の上端面４２ｔ及び桁行方向の端面４２ｓ１、並びに水平帯板部４４の梁間方向の端面４４ｓ２は、人目に触れやすい。このため、この図４の例では、これら端面４２ｔ，４２ｓ１，４４ｓ２に対して、それぞれ帯板状の封止部材４６ａ，４６ｂ，４６ｃが接合されており、これによりこれら端面４２ｔ，４２ｓ１，４４ｓ２は封止養生されている。
【００３３】
なお、このように端面４２ｔ，４２ｓ１，４４ｓ２を封止養生すれば、幅木４０内への水の侵入を有効に防いで幅木４０を常に軽量な状態に維持することも可能になる。詳しくは次の通りである。通常、足場１０は屋外で使用され、このため、必然的に幅木４０も雨に晒される。一方、上述のような中空構造の幅木４０の場合に、幅木４０の端面４２ｔ，４２ｓ１，４４ｓ１，４４ｓ２から中空構造が露出していると、当該端面経由で、幅木４０内の中空空間Ｓ４１５，Ｓ４１７に雨水等が侵入して滞留し、その滞留分、実質的に幅木４０の重量が増えてしまう。そして、この含水状態が、足場１０の解体時まで続いていると、当該幅木４０を人力で持ち上げ難くなって解体作業性が損なわれる。この点につき、上述の如く端面４２ｔ，４２ｓ１，４４ｓ２を封止養生しておけば、幅木４０内への雨水の浸入を有効に防ぐことができて、結果、幅木４０を常に軽量な状態に維持可能となる。ちなみに、特に、鉛直帯板部４２の上端面４２ｔから雨水は浸入し易いので、当該上端面４２ｔを封止養生することが有効である。
【００３４】
但し、概ね全ての端面４２ｔ，４２ｓ１，４４ｓ２を封止養生しても、工事中に適宜な工事資材が幅木４０にぶつかる等して幅木４０の一部が穴空き破損などして中空空間Ｓ４１５，Ｓ４１７が外部に連通した場合には、当該穴空き破損部から雨水が幅木４０内に侵入することも起こり得る。そのため、幅木４０内の侵入水を排水する目的で、幅木４０に、中空構造が露出している部分４０ｒを設けておくと良い。図５Ａ及び図５Ｂは、その説明図である。図５Ａは、幅木４０の桁行方向の端部４０ｅを下方から見た概略斜視図であり、図５Ｂは、枠組足場１０における幅木４０の端部４０ｅを上方から見た概略平面図である。なお、以下では、当該「中空構造が露出している部分４０ｒ」のことを、「中空構造露出部分４０ｒ」とも言う。
【００３５】
図５Ａに示すように、かかる中空構造露出部分４０ｒは、望ましくは、幅木４０の下部に設けられていると良く、そうすれば、幅木４０内の侵入水が、より確実に排水されるようになる。例えば、この図５Ａの例では、中空構造露出部分４０ｒは、幅木４０における下部の一部が切り欠かれることによって当該下部に形成されている。詳しくは次の通りである。  
先ず、図５Ｂに示すように、幅木４０の鉛直帯板部４２は、踏板２１の桁行方向の全長寸法よりも若干長い寸法に設計されている。そして、これにより、桁行方向に隣り合う別の幅木４０の鉛直帯板部４２との間で、桁行方向の端部４２ｅ，４２ｅ同士がオーバーラップするようになっている。一方、幅木４０の水平帯板部４４については、桁行方向の各端部４４ｅ，４４ｅが切り欠かれていて、これにより、水平帯板部４４の桁行方向の全長寸法は鉛直帯板部４２の桁行方向の全長寸法よりも短くされており、その結果として、踏板２１の桁行方向の両端部のつかみ金具２３と水平帯板部４４との干渉が回避されている。  
但し、このとき、この切り欠かれた部分の端面４４ｓ１には、封止養生はされず、この部分からは中空構造が露出している。すなわち、水平帯板部４４の桁行方向の各端面４４ｓ１は、中空構造露出部分４０ｒになっている。また、この切り欠きに伴って、図５Ａに示す鉛直帯板部４２の桁行方向の各端部４２ｅにおいても下端面４２ｓ３から中空構造が露出した状態となっており、つまり、当該下端面４２ｓ３も中空構造露出部分４０ｒになっている。よって、これら鉛直帯板部４２及び水平帯板部４４の各中空構造露出部分４０ｒから、幅木４０内の侵入水は速やかに排水される。
【００３６】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【００３７】
上述の実施形態では、幅木４０として断面Ｌ字形状の板材４１を例示したが、何等これに限るものではない。例えば、水平帯板部４４を具備せずに鉛直帯板部４２のみを具備した平板であっても良い。
【００３８】
上述の実施形態では、中空構造の板材４１として、複数の円筒状の突起部４１３ｐ，４１３ｐ…を有する樹脂製の突起シート４１３の両面に、それぞれ樹脂製の平坦シート４１５，４１７を接合した三層構造の板材４１を例示したが、何等これに限らない。例えば、所謂ダンボール構造の板材を用いても良い。ちなみに、段ボール構造の板材とは、樹脂製の波形シートの片面又は両面に、樹脂製の平坦シートを接合してなる二層構造又は二層構造の板材のことである。
【００３９】
上述の実施形態では、幅木４０として中空構造の板材４１を例示したが、何等これに限るものではなく、幅木４０内に中空空間を有さない中実構造の板材を用いても良い。
【００４０】
上述の実施形態では、足場として枠組足場１０を例示したが、何等これに限らず、他の種類の足場に対して本実施形態の幅木４０を適用しても良い。例えば、単管足場、本足場、一側足場、吊り足場等に対して本実施形態の幅木４０を用いても良い。
【００４１】
上述の実施形態では、幅木４０を枠組足場１０の建枠１１の支柱１２に固定・支持していたが、何等これに限らず、例えば、建枠１１の横架材１４に固定しても良いし、踏板２１に固定・支持しても良い。また、上述のように、足場が単管足場や、本足場、一側足場、吊り足場等の場合には、幅木４０を、足場の支柱となる建地、或いは布材等に固定・支持しても良い。
【００４２】
上述の実施形態では、建枠１１の支柱１２に幅木４０を固定する固定具としてクランプ５１を例示したが、何等これに限らない。例えば、幅木４０の鉛直帯板部４２のピン孔４０ｈに番線を挿通などして、幅木４０を建枠１１の支柱１２などに結束固定しても良い。
【符号の説明】
【００４３】
１０  枠組足場、
１１  建枠、１２  支柱、１４  横架材、
１６  連結ピン、１８  ジャッキベース、
２１  踏板、２３  つかみ金具、
３１  ブレース、
４０  幅木、４０ｅ  端部、４０ｈ  ピン孔、
４０ｒ  中空構造露出部分（中空構造が露出している部分）、
４１  板材、
４２  鉛直帯板部、４２ｅ  端部、４２ｓ１  端面、４２ｓ３  下端面、
４２ｔ  上端面、
４４  水平帯板部、４４ｅ  端部、４４ｓ１  端面、４４ｓ２  端面、
４６ａ  封止部材、４６ｂ  封止部材、４６ｃ  封止部材、
５１  クランプ（固定具）、
５２  把持部、５３  把持部、５２ｂ  ボルト、５２ｎ  ナット、
５５  ピン部、５５ｋ  返し部材、
４１３  突起シート、４１３ｂ  底面部（突起部の周りに位置する平坦な部分）、
４１３ｐ  突起部、４１３ｐｔ  頂部、
４１５  平坦シート、４１７  平坦シート、
Ｃ５１  枢軸、
Ｓ４１５  中空空間、Ｓ４１７  中空空間、
【図３】
0005634456.tif 000002
【図１】
0005634456.tif 000003
【図２】
0005634456.tif 000004
【図４】
0005634456.tif 000005
【図５】
0005634456.tif 000006